(57)【要約】【課題】幅広い種類の細菌やウイルス等に対して高い殺菌効果を得ることができる紫外線殺菌装置を提供する。【解決手段】第１及び第２開口６ａ，６ｂを有する通気路５内に、常時点灯される紫外線ランプ７と５つの遮蔽板９とを設ける。遮蔽板９は、通気孔として機能する多数のハニカムセル１０を有するハニカム構造であり、通気路５に互いに離間して並設される。これにより、通気路５内に照射領域１３ａ〜１３ｆと遮蔽領域１２ａ〜１２ｅとが交互に形成される。第１及び第２開口６ａ，６ｂには、第１及び第２ファン１４ａ，１４ｂが設けられる。外部の空気の流速に応じて一方の開口から通気路５に流入した空気は、照射領域１３ａ〜１３ｆと遮蔽領域１２ａ〜１２ｅとを交互に通過することで、紫外線がパルス状に照射され、他方の開口から流出する。【選択図】図１
2012000216.tif 000002
【特許請求の範囲】
【請求項１】
第１開口及び第２開口を両端に有し、外部の空気が前記第１及び第２開口の一方から流入し他方から流出する通気路と、
前記通気路に対して紫外線を照射する紫外線光源と、
前記通気路に設けられ、前記通気路を通過する空気に対して前記紫外線光源からの紫外線を断続的に遮蔽する遮蔽手段と、を備える
ことを特徴とする紫外線殺菌装置。
【請求項２】
請求項１に記載の紫外線殺菌装置であって、
前記遮蔽手段は、前記通気路に互いに離間して並設され、それぞれが前記通気路を上流域と下流域とに仕切る複数の遮蔽板であり、
前記遮蔽板は、前記上流域と前記下流域とを連通して空気の通過を許容する複数の通気孔を有し、
前記通気孔の少なくとも内側中央部分は、前記紫外線光源からの紫外線が到達しない遮蔽領域である
ことを特徴とする紫外線殺菌装置。
【請求項３】
請求項１又は請求項２に記載の紫外線殺菌装置であって、
前記第１開口に設けられ、外部から前記通気路へ空気を流入する順方向と、前記通気路から外部へ空気を流出する逆方向とに回転する第１ファンと、
前記第２開口に設けられ、外部から前記通気路へ空気を流入する順方向と、前記通気路から外部へ空気を流出する逆方向とに回転する第２ファンと、
前記第１開口の近傍に配置され、前記第１開口へ向かって流れる外部の空気の流速を検出する第１検出手段と、
前記第２開口の近傍に配置され、前記第２開口へ向かって流れる外部の空気の流速を検出する第２検出手段と、
前記第１検出手段が検出した流速が前記第２検出手段が検出した流速よりも速い場合、前記第１ファンを順方向に前記第２ファンを逆方向にそれぞれ作動させ、前記第２検出手段が検出した流速が前記第１検出手段が検出した流速よりも速い場合、前記第２ファンを順方向に前記第１ファンを逆方向にそれぞれ作動させる制御手段と、を備える
ことを特徴とする紫外線殺菌装置。
【請求項４】
請求項１から請求項３の何れかに記載の紫外線殺菌装置であって、
前記第１開口及び第２開口の各面積は、前記通気路の横断面積よりも小さい
ことを特徴とする紫外線殺菌装置。
【発明の詳細な説明】
【技術分野】
【０００１】
本発明は、空気中に存在する細菌やウイルス等を殺菌処理する紫外線殺菌装置に関する。
【背景技術】
【０００２】
特開２００６−２３１００７号公報には、紫外線ランプから放射される紫外線を、室内高所から室内を対流する空気に向けて常時照射させて、空気中に浮遊する細菌やウイルス類を殺菌する紫外線照射装置が記載されている。
【先行技術文献】
【特許文献】
【０００３】
【特許文献１】特開２００６−２３１００７号公報
【発明の概要】
【発明が解決しようとする課題】
【０００４】
一般に、カビや芽胞を形成する枯草菌等の芽胞形成菌種は、紫外線に対する抵抗力が強く、紫外線を連続的に照射するよりも断続的に照射する方が効果的であることが知られている。
【０００５】
しかし、上記特開２００６−２３１００７号公報に記載された紫外線照射装置では、紫外線を空気に対して連続照射させるので、カビや芽胞形成菌種に対する殺菌効果は低い。
【０００６】
そこで、本発明は、紫外線に対する抵抗力が強いカビや芽胞形成菌種をも含む幅広い細菌やウイルスに対して、高い殺菌効果を得ることができる紫外線殺菌装置の提供を目的とする。
【課題を解決するための手段】
【０００７】
上記目的を達成すべく、本発明は、空気中に存在する細菌やウイルス等を殺菌処理する紫外線殺菌装置であって、通気路と紫外線光源と遮蔽手段とを備える。
【０００８】
通気路は、第１開口及び第２開口を両端に有し、外部の空気が上記第１及び第２開口の一方から流入し他方から流出する。紫外線光源は、上記通気路に対して紫外線を照射する。遮蔽手段は、上記通気路に設けられ、上記通気路を通過する空気に対して上記紫外線光源からの紫外線を断続的に遮蔽する。
【０００９】
上記構成では、遮蔽手段は、紫外線光源から連続的に照射される紫外線を、通気路を通過する空気に対して断続的に遮蔽するので、紫外線光源からの紫外線は、通気路を通過する空気にパルス状に照射される。このため、幅広い細菌やウイルスに対する殺菌効果が向上する。また、一般に、低圧水銀ランプ等の紫外線ランプは、点灯と消灯とを繰り返すことで寿命が縮まるが、上記構成では、紫外線光源は連続点灯されるので、紫外線光源の寿命の短縮を防止することができる。
【００１０】
また、上記遮蔽手段は、複数の遮蔽板であってもよい。複数の遮蔽板は、上記通気路に互いに離間して並設され、それぞれが上記通気路を上流域と下流域とに仕切る。上記遮蔽板は、上記上流域と上記下流域とを連通して空気の通過を許容する複数の通気孔を有する。上記通気孔の少なくとも内側中央部分は、上記紫外線光源からの紫外線が到達しない遮蔽領域である。
【００１１】
上記構成では、内部に遮蔽領域を有する複数の遮蔽板が、紫外線が照射される通気路を流れ方向に複数の領域に仕切り、通気路には、紫外線が照射される照射領域と遮蔽される遮蔽領域とが交互に形成される。従って、通気路を通過する空気には、紫外線がパルス状に照射される。また、遮蔽板は、可動部分を有さないので制御の必要はなく、部品点数の増加を抑制し装置を簡素化することができる。
【００１２】
また、第１ファンと第２ファンと第１検出手段と第２検出手段と制御手段とを備えてもよい。
【００１３】
第１ファンは、上記第１開口に設けられ、外部から上記通気路へ空気を流入する順方向と、上記通気路から外部へ空気を流出する逆方向とに回転する。第２ファンは、上記第２開口に設けられ、外部から上記通気路へ空気を流入する順方向と、上記通気路から外部へ空気を流出する逆方向とに回転する。第１検出手段は、上記第１開口の近傍に配置され、上記第１開口へ向かって流れる外部の空気の流速を検出する。第２検出手段は、上記第２開口の近傍に配置され、上記第２開口へ向かって流れる外部の空気の流速を検出する。
【００１４】
制御手段は、上記第１検出手段が検出した流速が上記第２検出手段が検出した流速よりも速い場合、上記第１ファンを順方向に上記第２ファンを逆方向にそれぞれ作動させ、上記第２検出手段が検出した流速が上記第１検出手段が検出した流速よりも速い場合、上記第２ファンを順方向に上記第１ファンを逆方向にそれぞれ作動させる。
【００１５】
上記構成では、第１検出手段が検出した流速が、第２検出手段が検出した流速よりも速い場合に、制御手段は、第１ファンを順方向に第２ファンを逆方向に回転させる。これにより、外部の空気は、第１開口から通気路へ流入し第２開口から外部へ流出する。一方、第２検出手段が検出した流速が、第１検出手段が検出した流速よりも速いとき、制御手段は、第２ファンを順方向に第１ファンを逆方向に回転させる。これにより、外部の空気は、第２開口から通気路へ流入し第１開口から外部へ流出する。このように、外部の空気の流れに応じて空気の流入口及び流出口を変更するので、効率よく空気を通気路へ取り込むことができる。
【００１６】
また、上記第１開口及び上記第２開口の各面積は、上記通気路の横断面積よりも小さくてもよい。
【００１７】
上記構成では、空気の流出入口である第１開口及び第２開口の各面積が、通気路の流れ方向に対して直交する断面積よりも小さい。このように、第１及び第２開口の面積を狭めることで、第１及び第２開口を通過する空気の流速が一定になるので、通気路を単位時間あたりに通過する空気の量が一定になり、常に同じ条件で紫外線が照射される。
【発明の効果】
【００１８】
本発明によれば、紫外線に対する抵抗力が強いカビや芽胞形成菌種をも含む幅広い細菌やウイルスに対して、高い殺菌効果を得ることができる。
【図面の簡単な説明】
【００１９】
【図１】第１実施形態の紫外線殺菌装置を流れ方向に沿って切断した断面図である。
【図２】第１実施形態の紫外線殺菌装置を流れ方向に対して直交方向に切断した断面図である。
【図３】ハニカムセル１０の拡大図である。
【図４】第２実施形態の紫外線殺菌装置を流れ方向に沿って切断した断面図である。
【発明を実施するための形態】
【００２０】
以下、本発明の第１実施形態の紫外線殺菌装置について図面を参照して説明する。
【００２１】
図１は、第１実施形態の紫外線殺菌装置を流れ方向に沿って切断した断面図である。図２は、第１実施形態の紫外線殺菌装置を流れ方向に対して直交方向に切断した断面図である。図３は、ハニカムセル１０の拡大図である。
【００２２】
図１及び図２に示すように、紫外線殺菌装置１は、ケース２と、紫外線ランプ７と、遮蔽板９と、第１ファン１４ａ及び第２ファン１４ｂと、第１熱線流速計１６ａ及び第２熱線流速計１６ｂと、コントローラ１７とを有する。
【００２３】
ケース２は、両端を開放した横長矩形筒状の外壁３と、外壁３によって囲まれた空間の内部に配置されて通気路５を形成する筒状の内壁４とを備える。外壁３及び内壁４は、紫外線を透過しない材質によって形成され、外壁３の両端３ａ，３ｂとこれに対応する内壁４の両端４ａ，４ｂとは接合されている。通気路５は、外部と連通する一端側の第１開口６ａと他端側の第２開口６ｂとを有し、外部の空気は、第１開口６ａ及び第２開口６ｂの一方から通気路５に流入し、他方から外部に流出する。第１開口６ａ及び第２開口６ｂの各面積は、空気の流れ方向（以下、単に流れ方向と称する）に対して直交する通気路５の何れの横断面積よりも小さく設定されている。第１開口６ａ及び第２開口６ｂの外側は、拡開したベルマウス形状を成し、内側は、通気路５の中心部に向かって湾曲状に膨出している。
【００２４】
紫外線ランプ７は、第１開口６ａの近傍と第２開口６ｂの近傍とに設けられた２つのブラケット８ａ，８ｂによって支持され、通気路５の流れ方向に沿った中心部に設けられる。ブラケット８ａ，８ｂは、第１開口６ａの近傍の断面及び第２開口６ｂの近傍の断面を遮蔽せず、空気の通過を許容し、その形状は、紫外線ランプ７の外径よりも短い幅と第１開口６ａ及び第２開口６ｂを横断する長さとを有する板状である。紫外線ランプ７は、紫外線殺菌装置１が作動している間は常時点灯し、通気路５に対して紫外線を連続的に照射する。なお、紫外線ランプ７は、低圧水銀ランプ、高圧水銀ランプ、紫外線エキシマランプの他、紫外線ＬＥＤ等様々な光源を用いることが可能である。
【００２５】
遮蔽板９（第１遮蔽板９ａ〜第５遮蔽板９ｅ）は、図２及び図３に示すように、多数のハニカムセル１０（六角形の孔）を有するハニカム構造であり、紫外線を透過しない材質で、所定の板厚を有する円盤状に形成される。各ハニカムセル１０は、遮蔽板９の板厚方向に配置されて遮蔽板９の両面で開口し、通気孔として機能する。また、遮蔽板９の中心部には、紫外線ランプ７の外径とほぼ同じ内径を有する貫通孔が形成される。貫通孔の周囲に存在するハニカムセル１０は、貫通孔を形成するためにハニカムセル１０を区画する壁面が切り欠かれている。遮蔽板９は、当該貫通孔を紫外線ランプ７が貫通した状態で、通気路５の流れ方向に対して直交方向に互いに離間して並設される。第１遮蔽板９ａは、通気路５を上流域と下流域とに仕切り、第２遮蔽板９ｂは、第１遮蔽板９ａとは異なる位置で、通気路５を上流域と下流域とに仕切る。第３遮蔽板９ｃ〜第５遮蔽板９ｅも第１及び第２遮蔽板９ａ，９ｂと同様に、他の遮蔽板９とは異なる位置で、通気路５を上流域と下流域とに仕切る。これにより、第１遮蔽板９ａ〜第５遮蔽板９ｅは、通気路５を流れ方向に６つの領域に区画する。
【００２６】
紫外線ランプ７が点灯されると、貫通孔の周囲に存在する壁面が切り欠かれたハニカムセル１０では、その切り欠かれた壁面を通じて内部全体に紫外線が照射される。また、貫通孔から所定の範囲内に存在するハニカムセル１０では、ハニカムセル１０の両端の開口部分（遮蔽板９の両面）を通じて内部全体に紫外線が照射される。これらに対し、貫通孔から所定の範囲の外側に存在するハニカムセル１０では、ハニカムセル１０の両端の開口部分（遮蔽板９の両面）を通じて開口部分の近傍には紫外線が照射されるが、内部の少なくとも中央部分には、紫外線が到達しない遮蔽領域１２（図３に示す一点鎖線部分）が形成される。
【００２７】
このように、内部に遮蔽領域１２が形成される遮蔽板９を通気路５に設けることで、通気路５には流れ方向に６つの照射領域（第１照射領域１３ａ〜第６照射領域１３ｆ）と５つの遮蔽領域１２（第１遮蔽領域１２ａ〜第５遮蔽領域１２ｅ）とが交互に形成される。なお、照射領域１３ａ〜１３ｆは、それぞれ２つの遮蔽板９に仕切られた紫外線が照射される領域と、遮蔽板９の内部で紫外線が照射される領域（ハニカムセル１０の両端の開口部分の近傍）とを含めた領域である。例えば、照射領域１３ｂとは、第１遮蔽板９ａと第２遮蔽板９ｂとに仕切られた領域と、第１遮蔽板９ａの内部で第２遮蔽板９ｂ側に存在する紫外線が照射される領域と、第２遮蔽板９ｂの内部で第１遮蔽板９ａ側に存在する紫外線が照射される領域とを示す。
【００２８】
また、遮蔽板９には、所定の範囲（内部全体に紫外線が照射され、遮蔽領域１２が形成されないハニカムセル１０が存在する範囲）の両面に、空気が通過することを防ぐ円形の遮蔽シート１１が添着される。これにより、通気路５に流入した空気は、必ず遮蔽領域１２ａ〜１２ｅを通過する。
【００２９】
第１ファン１４ａは、第１開口６ａに設けられ、外部から通気路５へ空気を流入する順方向と、通気路５から外部へ空気を流出する逆方向との何れの方向にも回転可能である。第１ファン１４ａは、第１モータ１５ａによって駆動され、第１モータ１５ａの回転方向に従属して回転する。第２ファン１４ｂは、第２開口６ｂに設けられ、外部から通気路５へ空気を流入する順方向と、通気路５から外部へ空気を流出する逆方向との何れの方向にも回転可能である。第２ファン１４ｂは、第２モータ１５ｂによって駆動され、第２モータ１５ｂの回転方向に従属して回転する。第１モータ１５ａ及び第２モータ１５ｂは、コントローラ１７に接続され駆動を制御される。
【００３０】
第１熱線流速計１６ａは、第１開口６ａの近傍に設けられ、所定時間毎に第１開口６ａへ向かう（図１において左から右へ向かう）外部の空気の流速ｖａを検出する。第２熱線流速計１６ｂは、第２開口６ｂの近傍に設けられ、所定時間毎に第２開口６ｂへ向かう（図１において右から左へ向かう）外部の空気の流速ｖｂを検出する。第１熱線流速計１６ａ及び第２熱線流速計１６ｂは、コントローラ１７に接続され、それぞれ検出した流速ｖａ，ｖｂをコントローラ１７へ出力する。
【００３１】
コントローラ１７は、第１熱線流速計１６ａ及び第２熱線流速計１６ｂから受信した各流速ｖａ，ｖｂに基づいて、第１モータ１５ａ及び第２モータ１５ｂの駆動を制御する。具体的には、第１開口６ａへ向かう外部の空気の流速ｖａが第２開口６ｂへ向かう外部の空気の流速ｖｂより速い場合、コントローラ１７は、第１ファン１４ａが順方向に回転する回転方向で第１モータ１５ａを駆動させ、第２ファン１４ｂが逆方向に回転する回転方向で第２モータ１５ｂを駆動させる。これにより、外部の空気は第１開口６ａから通気路５に流入し、第２開口６ｂから外部へ流出する。一方、流速ｖｂが流速ｖａより速い場合、コントローラ１７は、第１ファン１４ａが逆方向に第２ファン１４ｂが順方向に回転する回転方向で第１モータ１５ａ及び第２モータ１５ｂを駆動させる。これにより、外部の空気は第２開口６ｂから流入し第１開口６ａから流出する。なお、コントローラ１７は、第１及び第２熱線流速計１６ａ，１６ｂが検出する各流速ｖａ，ｖｂの大小関係が入れ替わる都度、第１及び第２モータ１５ａ，１５ｂの駆動を制御して第１及び第２ファン１４ａ，１４ｂの回転方向を変更してもよく、また各流速の大小関係が入れ替わった後、当該大小関係を所定の回数維持したときに、第１及び第２モータ１５ａ，１５ｂの駆動を制御して第１及び第２ファン１４ａ，１４ｂの回転方向を変更してもよい。
【００３２】
上記のように構成された紫外線殺菌装置１では、コントローラ１７が第１及び第２開口６ａ，６ｂへ向かって流れる外部の空気の流速ｖａ，ｖｂに応じて第１及び第２ファン１４ａ，１４ｂの回転方向を制御し、外部の空気は速い流速を検出した開口から通気路５に流入する。例えば、流速ｖａが流速ｖｂより速い場合には、外部の空気は第１開口６ａから通気路５に流入し、第１照射領域１３ａ、第１遮蔽領域１２ａ、第２照射領域１３ｂ、第２遮蔽領域１２ｂ、第３照射領域１３ｃ、第３遮蔽領域１２ｃ、第４照射領域１３ｄ、第４遮蔽領域１２ｄ、第５照射領域１３ｅ、第５遮蔽領域１２ｅ、第６照射領域１３ｆを通過することで紫外線がパルス状に照射され、第２開口６ｂから流出する。
【００３３】
このように、本実施形態の紫外線殺菌装置１によれば、紫外線ランプ７は常時点灯されたままで、遮蔽板９が紫外線ランプ７からの紫外線を断続的に遮蔽するので、紫外線ランプ７の寿命を縮めることなく、紫外線を空気に対してパルス状に照射することが可能である。その結果、カビや芽胞形成菌種を含めた幅広い種類の細菌やウイルス等に対しても高い殺菌効果を得ることができる。
【００３４】
また、外部の空気の流速ｖａ，ｖｂに応じて、第１及び第２ファン１４ａ，１４ｂの回転方向を切り替えて流入口及び流出口を変更するので、空気を通気路５内へ効率よく取り込むことができる。
【００３５】
さらに、第１開口６ａの近傍及び第２開口６ｂの近傍の通気路５を狭めることにより、外部の空気が安定した状態で通気路５に流入し、且つ単位時間当たりに通気路５内を通過する空気の量が一定となるので、通気路５内に流入した空気に対する紫外線照射を、常に同じ条件で安定して行うことができる。
【００３６】
なお、遮蔽板９は、ハニカム構造に限定されず、例えば、格子状のように、空気が通過可能で、且つ内部に遮蔽領域を形成する通気孔を有するものであればよい。
【００３７】
また、外部の空気の流速ｖａ，ｖｂを検出する検出手段は、熱線流速計１６ａ，１６ｂに限定されない。なお、外部の何れか１箇所で検出する空気の流速が、第１開口６ａの近傍及び第２開口６ｂの近傍で別個に検出する流速ｖａ，ｖｂと同等にみなすことができる程度の大きさの紫外線殺菌装置１であれば、検出手段は１つでもよい。
【００３８】
また、空気の流出入口は、外部の空気の流速ｖａ，ｖｂによらず操作者が任意に決定してもよい。更には、空気の流出入口を限定し、通気路５内の空気の流れを一方向のみにしてもよい。この場合、空気の流出口となる開口にはファンを設ける必要はなく、当該開口の近傍の形状も上記に限定されない。また、遮蔽シート１１は、遮蔽板９の流入口となる一方の開口側の面のみに添着すれば足りる。
【００３９】
次に、本発明の第２実施形態の紫外線殺菌装置について図面を参照して説明する。
【００４０】
本実施形態は、紫外線ランプからの紫外線を、可動式ルーバーを用いて遮蔽する点において、上記第１実施形態と相違する。なお、第１実施形態と同様の構成には、同一の符号を付してその詳細な説明を省略する。
【００４１】
図４は、第２実施形態の紫外線殺菌装置を流れ方向に沿って切断した断面図である。
【００４２】
図４に示すように、紫外線殺菌装置１は、ケース２と、４つの紫外線ランプ７ａ〜７ｄと、ルーバー１９ａ〜１９ｄと、第１ファン１４ａ及び第２ファン１４ｂと、第１熱線流速計１６ａ及び第２熱線流速計１６ｂと、コントローラ１７とを有する。
【００４３】
ケース２の内壁４は、紫外線を透過する材質で形成される。
【００４４】
４つの紫外線ランプ７ａ〜７ｄは、紫外線ランプ収納部材１８ａ〜１８ｄの内部にブラケット（図示せず）に支持され設けられる。紫外線ランプ収納部材１８ａ〜１８ｄは、紫外線を遮蔽する材質で形成され、Ｌ字型の形状を有し、内面は曲面状の反射板となっている。紫外線ランプ収納部材１８ａ〜１８ｄの開放された斜面には、ルーバー１９ａ〜１９ｄがそれぞれ設けられる。ルーバー１９ａ〜１９ｄは、羽板が開閉自在な可動式ルーバーであり、羽板の開閉は、コントローラ１７によって制御される。ルーバー１９ａ〜１９ｄの羽板を開けたとき、紫外線ランプ７ａ〜７ｄからの紫外線は通気路５に照射され、羽板を全て閉じたとき、通気路５には紫外線は到達しない。
【００４５】
紫外線ランプ収納部材１８ａ〜１８ｄは、ケース２の外壁３と内壁４とに閉塞された空間にそれぞれ設けられる。紫外線ランプ７ａを備えた紫外線ランプ収納部材１８ａは、第１開口６ａの上部の空間に、紫外線ランプ７ｂを備えた紫外線ランプ収納部材１８ｂは、第１開口６ａの下部の空間に、紫外線ランプ７ｃを備えた紫外線ランプ収納部材１８ｃは、第２開口６ｂの上部の空間に、紫外線ランプ６ｄを備えた紫外線ランプ収納部材１８ｄは、第２開口６ｂの下部の空間に設けられ、それぞれルーバー１９ａ〜１９ｄが通気路５に対面し、且つ紫外線ランプ収納部材１８ａ〜１８ｄの一方の面が外壁３に密着し、他方の面が紫外線殺菌装置１の外部への紫外線の漏出を防ぐ状態で固定される。
【００４６】
コントローラ１７は、予め設定された所定の周期で、全てのルーバー１９ａ〜１９ｄを同時に開閉する。これにより、通気路５には、紫外線ランプ７ａ〜７ｄからの紫外線が照射される照射期間と遮蔽される遮蔽期間とが所定の周期で交互に生起される。なお、所定の周期は、通気路５を空気が通過する間に、照射期間及び遮蔽期間の何れも複数回生起されるように設定されている。
【００４７】
上記のように構成された紫外線殺菌装置１では、空気は照射期間と遮蔽期間とが交互に生起される通気路５を通過することで、紫外線がパルス状に照射される。
【００４８】
このように、本実施形態の紫外線殺菌装置１によれば、紫外線ランプ７ａ〜７ｄは常時点灯されたままで、ルーバー１９ａ〜１９ｄが紫外線ランプ７ａ〜７ｄからの紫外線を断続的に遮蔽するので、紫外線ランプ７ａ〜７ｄの寿命を縮めることなく、紫外線を空気に対してパルス状に照射することが可能であり、カビや芽胞形成菌種を含めた幅広い種類の細菌やウイルス等に対しても高い殺菌効果を得ることができる。
【００４９】
なお、紫外線を遮蔽する遮蔽手段は、ルーバー１９ａ〜１９ｄに限定されず、例えば、シャッターのように、開閉が自在であり、断続的に紫外線を遮蔽することが可能な遮蔽手段であればよい。
【００５０】
上述した実施形態は本発明の一例であり、本発明を逸脱しない範囲において変更可能である。
【産業上の利用可能性】
【００５１】
本発明は、人間が生活を営む家屋等の建物、及び航空機や列車、車両等の移動体で有用である。
【符号の説明】
【００５２】
１：紫外線殺菌装置
２：ケース
３：外壁
４：内壁
５：通気路
６ａ，６ｂ：開口
７，７ａ〜７ｄ：紫外線ランプ
８ａ，８ｂ：ブラケット
９，９ａ〜９ｅ：遮蔽板
１０：ハニカムセル
１１：遮蔽シート
１２，１２ａ〜１２ｅ：遮蔽区間
１３ａ〜１３ｆ：照射区間
１４ａ，１４ｂ：ファン
１５ａ，１５ｂ：モータ
１６ａ，１６ｂ：熱線流速計（検出手段）
１７：コントローラ（制御手段）
１８ａ〜１８ｄ：紫外線ランプ収納部材
１９ａ〜１９ｄ：ルーバー
【図１】
2012000216.tif 000003
【図２】
2012000216.tif 000004
【図３】
2012000216.tif 000005
【図４】
2012000216.tif 000006